(57)【特許請求の範囲】
【請求項１】
有底筒状の本体(1) と、頂板(7) の前部に振出口(8) を開設すると共に、該振出口(8) を開閉する蓋板(9) を、ヒンジ(13)を介して前記頂板(7) に一体形成して、前記本体(1) の上端開口部に被嵌する有頂筒状のキャップ(4) とから構成した振出容器において、前記本体(1) の上端開口部の内周面に、第一の螺条片(2) を設けると共に、該第一の螺条片(2) と上下重複しない位置に係止片(3) を設け、前記キャップ(4) の頂板(7) の下面に、前記本体(1) の上端開口部に嵌入して、外周面に設けた第二の螺条片(14)を前記第一の螺条片(2) に螺合させる内筒片(6) を設け、前記蓋板(9) の裏面に、前記キャップ(4) が本体(1) に螺合限に組付いた閉蓋状態で、前記振出口(8) を貫通して、前記キャップ(4) を本体(1) に対して螺脱させようとする際に、前記係止片(3) に係止する係止突片(10)を突設して成る振出容器。
【請求項２】
本体(1) の螺条片(2) およびキャップ(4) の螺条片(14)を、前記本体(1) およびキャップ(4) の中心軸に対して軸対称位置に一対づつ設けた請求項１記載の振出容器。
【請求項３】
本体(1) の係止片(3) を、前記本体(1) の中心軸に対して軸対称位置に一対設けた請求項１または２記載の振出容器。
【請求項４】
本体(1) の係止片(3) を、両端に内方に突出した突片(3a)を設けて、中央部を凹部(3b)とした形状に形成すると共に、前記本体(1) にキャップ(4) を螺合限に組付けて蓋板(9) を閉じた状態で、該蓋板(9) の係止突片(10)が前記凹部(3b)内に位置するように位置設定した請求項１または２または３記載の振出容器。
【発明の詳細な説明】
【０００１】
【産業上の利用分野】
本発明は、有底筒状の本体の上端開口部に開閉蓋体を有するキャップを組付けた、粉チーズ等の粉状内容物の振出容器に関するものである。
【０００２】
【従来の技術】
この種の振出容器の代表例として、頂板の前部に比較的小さい振出口を設けると共に、この振出口を開閉する略半円状の蓋板を頂板にヒンジ結合して成るキャップを、有底筒状の本体の上端開口部に、アンダーカット結合により離脱不能に組付けた構成の振出容器が知られている。
【０００３】
また、この種の振出容器の購入前の不正開封防止手段は、容器の上端部を、少なくともキャップの蓋体の周縁部を覆った状態で、熱収縮性フィルムで被覆する手段が一般に採用されており、本体に対するキャップの組付きが、アンダーカット結合であるので、例え熱収縮性フィルムと一体にキャップを回転させても、キャップが空転するだけで、熱収縮性フィルムを破断除去しない限り、蓋体の開封を達成できないので、高い不正開封防止効果を発揮している。
【０００４】
【発明が解決しようとする課題】
しかしながら、上記した従来の振出容器にあっては、振り出し操作による内容物の振り出し量は少く設定されており、またキャップは本体から取り外せないように組付けられているので、多量の内容物を必要とする場合でも、キャップを取り外してスプーン等で内容物を一度に多量に取り出すことができず、振り出しによる取り出し方法しかなく、内容物の取り出しにきわめて時間がかかってしまうという問題があった。
【０００５】
また、一度に多量の内容物の取り出しを可能とすべく、本体に対してキャップを離脱可能に組付けることが考えられるが、このように本体に対してキャップを離脱可能に組付ける構成とすると、不正開封防止用の熱収縮性フィルムと一緒にキャップを本体から離脱させることが可能となり、熱収縮性フィルムを利用した不正開封防止手段の採用が不可能となると云う問題が生じる。
【０００６】
そこで、本発明は、上記した従来技術における問題点を解消すべく創案されたもので、キャップを本体から離脱可能とすると共に、熱収縮性フィルムを利用した不正開封防止手段の採用を可能とすることを技術的課題とし、もって一度に多量の粉状内容物を本体から直接取り出し可能とし、かつ熱収縮性フィルムを利用して確実な不正開封防止効果を得ることを目的とする。
【０００７】
【課題を解決するための手段】
上記技術的課題を解決する本発明の内、請求項１記載の発明の手段は、
有底筒状の本体と、頂板の前部に振出口を開設すると共に、この振出口を開閉する蓋板を、ヒンジを介して頂板に一体形成して、本体の上端開口部に被嵌する有頂筒状のキャップとから構成した振出容器に関するものであること、
本体の上端開口部の内周面に、第一の螺条片を設けると共に、この第一の螺条片と上下重複しない位置に係止片を設けること、
キャップの頂板の下面に、本体の上端開口部に嵌入して、外周面に設けた第二の螺条片を本体の第一の螺条片に螺合させる内筒片を設けること、
キャップの蓋板の裏面に、キャップが本体に螺合限に組付いた閉蓋状態で、キャップの振出口を貫通して、キャップを本体に対して螺脱させようとする際に、本体の係止片に係止する係止突片を突設すること、
にある。
【０００８】
請求項２記載の発明は、請求項１記載の発明に、本体の第一の螺条片およびキャップの第二の螺条片のそれぞれを、本体およびキャップの中心軸に対して軸対称位置に一対づつ設けた、ことを加えたものである。
【０００９】
請求項３記載の発明は、請求項１記載の発明に、本体の係止片を、本体の中心軸に対して軸対称位置に一対設けた、ことを加えたものである。
【００１０】
請求項４記載の発明は、請求項１記載の発明に、本体の係止片を、両端に内方に突出した突片を設けて、中央部を凹部とした形状に形成すると共に、本体にキャップを螺合限に組付けて蓋板を閉じた状態で、この蓋板の係止突片が係止片の凹部内に位置するように位置設定した、ことを加えたものである。
【００１１】
【作用】
振出容器の使用開始前には、不正開封防止用の熱収縮性フィルム製のキャップシールを、キャップから本体上端部に亘って被着し、このキャップシールを破断して蓋板を開放しない限り、蓋体の係止突片と本体の係止片とは係止可能な状態にある。
【００１２】
従って、キャップシールを破断することなくキャップを取外す目的で、キャップシールと一体にキャップを螺脱回転させようとしても、キャップの蓋板の係止突片と本体の係止片とが当接して係止するため、それ以上螺脱方向に回転させることは不可能であり、よってキャップを本体から取外すことはできず、不正開封が防止される。
【００１３】
振出容器の使用開始時には、キャップシールを破断除去して蓋板を開放し、通常の振り出し操作を行なえばよいが、特に多量の内容物を必要とする場合には、蓋板を開放した状態でキャップを螺脱回転させれば、係止突片と係止片とが係止することはなく、本体からキャップを取外せるので、スプーン等で内容物を本体から直接取り出すことができる。
【００１４】
本体の第一の螺条片および係止片は、本体の上端開口部の内周面に、相互に上下重複しない位置関係で設けられているので、この本体を射出成形する際には、コアとキャビティとを組合せた割り金型構造を利用して、この第一の螺条片と係止片とを成形することができ、このため、特に、第一の螺条片を成形するために移動可能な駒金型手段を採用する必要がなく、本体成形用の射出成形金型装置の全体構成が簡単になると共に、個取りを大きくすることができる。
【００１５】
【実施例】
以下、本発明の実施例を、図面を参照しながら説明する。
図１〜図４は、本発明の第一実施例を示したもので、本体１は、直線円筒状の筒体の下端開口部に底蓋を密に嵌着した有底円筒状に形成され、その上端開口部の内周面には、一対の第一の螺条片２が、本体１の中心軸に対して軸対称位置、すなわち１８０°ずれた対称位置に突設されており、この第一の螺条片２と上下重複しない位置関係で一つの係止片３が突設されている。
【００１６】
有頂短円筒状に形成されたキャップ４は、図２に示すように、本体１の上端部に外嵌する筒壁５を下面周端縁から垂下設した頂板７に、本体１の上端部に嵌入して第一の螺条片２と螺合する第二の螺条片１４を外周面に突設した一対の内筒片６を、キャップ４の中心軸に対して軸対称関係で、すなわち１８０°ずれた対称関係で、垂下設することにより、筒壁５と内筒片６とで一部二重筒構造を構成し、この一部二重筒構造部分で本体１に対する組付き部を形成している。
【００１７】
頂板７の前部には略長円状の振出口８が開設されており、この振出口８を開閉する略半円状の蓋板９が、ヒンジ１３を介して頂板７に一体形成されている。
【００１８】
蓋板９の前端部裏面には、閉蓋状態において振出口８を貫通して本体１の係止片３に係止する係止突片１０が、周方向に沿った姿勢で垂下設されているが、この係止突片１０は、螺脱方向側面を垂直状の係止面１１とし、螺合方向側面を傾斜面１２とした板状に形成されている。
【００１９】
この図１〜図４に図示する実施例においては、係止片３は単純な細長板片状となっているので、係止片３の機械的強度を必ずしも充分に大きくすることができるとは限らず、このため通常の常識範囲内では充分な不正開封阻止力を発揮するが、意識的な常識外の強力な不正開封力に対しては不正開封阻止作用は発揮し得ず、係止片３の破壊により不正開封が有ったことを認識させることになる。
【００２０】
なお、キャップ４における振出口８は、複数に分割して設けても良く、その開口形状が特定されるものではない。
【００２１】
図示した振出容器は、その使用開始前の段階においては、不正開封防止のために、合成樹脂製熱収縮性フィルムにより破断可能に形成したキャップシール（バージンシール）を、キャップ４から本体１上端部に亘って被着し、使用開始前における蓋板９の不正な開封を防止する。
【００２２】
図５〜図８は、本発明の第二実施例を示したもので、本体１の係止片３は、両端に突片３ａを設けることにより中央部を凹部３ｂとした形状に形成され、かつ内筒片６と同様に、キャップ４の中心軸に対して軸対称関係、すなわち１８０°ずれた対称関係で一対設けられており、またキャップ４の蓋板９裏面に設ける係止突片１０は、キャップ４の径方向に沿ったものとなっている。
【００２３】
本体１の係止片３は、本体１にキャップ４を螺合組付けし、かつ蓋板９を閉じた状態で、係止突片１０がいずれかの凹部３ｂ内に位置するように位置設定されており（図７、図８参照）、その他の構成は、第一実施例と同様である。
【００２４】
この図５〜図８図示実施例において、係止片３の構成が、図１〜図４図示実施例に比べて僅かに複雑になるものの、係止片３の機械的強度を充分に高めることができるので、充分に強大な不正開封阻止力を発揮することができ、それゆえ大型容器に用いるのが適している。
【００２５】
【発明の効果】
本発明は、上記した構成となっているので、以下に示す効果を奏する。
振出容器の使用時において、通常は、蓋板を開放し、容器を反転させて振り出し操作を行なえばよいが、特に多量の内容物を必要とする場合には、蓋板を開放した状態でキャップを螺脱回転させれば、係止突片と係止片とが係止することはなく、本体からキャップを容易に取外すことができるので、スプーン等で内容物を本体から直接取り出すことにより、多量の内容物を迅速に取り出することができ、もって内容物の取り出し状態を状況に応じて適宜に選択して、便利で好適な取扱いを得ることができる。
【００２６】
振出容器の使用開始前には、不正開封防止用のキャップシールが、キャップから本体上端部に亘って被着してあって、蓋板を開放することはできないので、このキャップシールを破断することなく、キャップを取外す目的で、キャップシールと一体にキャップを螺脱回転させようとしても、係止突片と係止片とが当接して係止するため、それ以上回転させることは不可能であり、よってキャップを本体から取外すことはできず、キャップシールによる不正開封防止動作を確実に発揮させることができる。
【００２７】
本体の上端開口部に付形される第一の螺条片と係止片とは、本体の上端開口部の内周面に上下重複しない位置関係で突設されるので、本体を射出成形するコアとキャビティとの組合せ構造をそのまま利用して成形することができ、もって本体を射出成形する金型装置の構造が簡単となると共に、大きな個取りの実施が可能となり、本体の製造に要する経費を大幅に低減することができる。
【００２８】
請求項２記載の発明にあっては、本体に対するキャップの螺合組付きを安定して状態で達成することができ、もって振出容器の安定した使用状態を得ることができる。
【００２９】
請求項３記載の発明にあっては、本体に対するキャップの螺合組付けの位置合わせ操作が簡単となり、もって容器の組立て作業の大幅な簡略化を得ることができる。
【００３０】
請求項４記載の発明にあっては、係止片を機械的強度の高いものとして構成することになるので、大きな不正開封力を掛け易い大型容器に対して好適に適用することができる。
【図面の簡単な説明】
【図１】本発明の第一実施例を示す、全体の分解斜視図。
【図２】図１に示した実施例のキャップの閉蓋状態を示す、一部破断した斜視図。
【図３】図１に示した実施例の閉蓋状態を示す、要部半縦断面図。
【図４】図３中、Ａ−Ａ線に沿って切断矢視した、要部平断底面図。
【図５】本発明の第二実施例を示す、全体の分解斜視図。
【図６】図５に示した実施例のキャップの閉蓋状態を示す、一部破断した斜視図。
【図７】図５に示した実施例の閉蓋状態を示す、要部半縦断面図。
【図８】図７中、Ｂ−Ｂ線に沿って切断矢視した要部平断底面図。
【符号の説明】
１  ；  本体
２  ；  第一の螺条片
３  ；  係止片
３ａ；  突片
３ｂ；  凹部
４  ；  キャップ
５  ；  筒壁
６  ；  内筒片
７  ；  頂板
８  ；  振出口
９  ；  蓋板
１０；  係止突片
１１；  係止面
１２；  傾斜面
１３；  ヒンジ
１４；  第二の螺条片
【図１】
0003906383.tif 000002
【図２】
0003906383.tif 000003
【図３】
0003906383.tif 000004
【図４】
0003906383.tif 000005
【図５】
0003906383.tif 000006
【図６】
0003906383.tif 000007
【図７】
0003906383.tif 000008
【図８】
0003906383.tif 000009